(57)【要約】  通信システムにおいて使用するための、たとえばトーンのような通信リソースを決定、たとえば選択するための方法および装置が説明される。この方法は、直交周波数分割多重（ＯＦＤＭ）システムにおける使用によく適している。情報を送信しようとするデバイスは、その情報の送信に使用するためのトーンをペアで選択する。各トーンのペアは、トーンと、対応するイメージ・トーンとを含む。通信周波数をペアで選択するように通信デバイスを制限することにより、デバイスが、対応するイメージ・トーンとは無関係のトーンを送信目的で使用し得るケースと比較して、ＩＱ不均衡に起因する、受信機における干渉および減じられたダイナミック・レンジの問題が低減される。これは、送信機から受信機へのパスロスが両方のトーンで同一となることが見込まれ、送信電力レベルが、それらのトーンの両方を使用する個々のデバイスによって制御されるからである。
2013532916.tif 000002
【特許請求の範囲】
【請求項１】
無線端末を動作させる方法であって、
送信目的で同時に使用するための、第１のＯＦＤＭシンボルにおける第１の周波数ペアのセットを決定することと、ここで、前記第１の周波数ペアのセットは、第１の周波数における第１のトーンと、前記第１の周波数のイメージ周波数である第２の周波数における第２のトーンとを含む、
前記決定された第１の周波数ペアのセットのみを使用して前記第１のＯＦＤＭシンボルにおける情報を送信することと
を備える方法。
【請求項２】
通信ピアによって送信された第２のＯＦＤＭシンボルにおける情報を受信すること
をさらに備え、前記第２のＯＦＤＭシンボルは、前記第１の周波数ペアのセットにのみ、前記情報を含む、請求項１に記載の方法。
【請求項３】
ピア・ツー・ピア通信セッションにおける通信ピアからの情報の受信に同時に使用するための、第２のＯＦＤＭシンボルにおける第２の周波数ペアのセットを決定することと、ここで、前記第２の周波数ペアのセットは、第３の周波数における第３のトーンと、前記第３の周波数のイメージ周波数である第４の周波数における第４のトーンとを含む、
前記第２のＯＦＤＭシンボルにおける情報を受信することと、ここで、前記情報は、前記決定された第２の周波数ペアのセットでのみ通信される、
をさらに備える、請求項１に記載の方法。
【請求項４】
第２の周波数ペアのセットを決定することは、トーン・ホッピング関数を使用して前記第２の周波数ペアのセットを決定することを含む、請求項３に記載の方法。
【請求項５】
ピア・ツー・ピア通信セッションにおける通信ピアへの情報の送信に同時に使用するための、第２のＯＦＤＭシンボルにおける第２の周波数ペアのセットを決定することと、ここで、前記第２の周波数ペアのセットは、第３の周波数における第３のトーンと、前記第３の周波数のイメージ周波数である第４の周波数における第４のトーンとを含む、
前記第２のＯＦＤＭシンボルにおける情報を送信することと、ここで、前記情報は、前記決定された第２の周波数ペアのセットでのみ通信される、
をさらに備える、請求項１に記載の方法。
【請求項６】
第２の周波数ペアのセットを決定することは、トーン・ホッピング関数を使用して前記第２の周波数ペアのセットを決定することを含む、請求項４に記載の方法。
【請求項７】
無線端末であって、
送信目的で同時に使用するための、第１のＯＦＤＭシンボルにおける第１の周波数ペアのセットを決定する手段と、ここで、前記第１の周波数ペアのセットは、第１の周波数における第１のトーンと、前記第１の周波数のイメージ周波数である第２の周波数における第２のトーンとを含む、
前記決定された第１の周波数ペアのセットのみを使用して前記第１のＯＦＤＭシンボルにおける情報を送信する手段と
を備える無線端末。
【請求項８】
通信ピアによって送信された第２のＯＦＤＭシンボルにおける情報を受信する手段
をさらに備え、前記第２のＯＦＤＭシンボルは、前記第１の周波数ペアのセットにのみ、前記情報を含む、請求項７に記載の無線端末。
【請求項９】
ピア・ツー・ピア通信セッションにおける通信ピアからの情報の受信に同時に使用するための、第２のＯＦＤＭシンボルにおける第２の周波数ペアのセットを決定する手段と、ここで、前記第２の周波数ペアのセットは、第３の周波数における第３のトーンと、前記第３の周波数のイメージ周波数である第４の周波数における第４のトーンとを含む、
前記第２のＯＦＤＭシンボルにおける情報を受信する手段と、ここで、前記情報は、前記決定された第２の周波数ペアのセットでのみ通信される、
をさらに備える、請求項７に記載の無線端末。
【請求項１０】
前記第２の周波数ペアのセットを決定する手段は、トーン・ホッピング関数を使用して前記第２の周波数ペアのセットを決定する手段を含む、請求項９に記載の無線端末。
【請求項１１】
ピア・ツー・ピア通信セッションにおける通信ピアへの情報の送信に同時に使用するための、第２のＯＦＤＭシンボルにおける第２の周波数ペアのセットを決定する手段と、ここで、前記第２の周波数ペアのセットは、第３の周波数における第３のトーンと、前記第３の周波数のイメージ周波数である第４の周波数における第４のトーンとを含む、
前記第２のＯＦＤＭシンボルにおける情報を送信する手段と、ここで、前記情報は、前記決定された第２の周波数ペアのセットでのみ通信される、
をさらに備える、請求項７に記載の無線端末。
【請求項１２】
前記第２の周波数ペアのセットを決定する手段は、トーン・ホッピング関数を使用して前記第２の周波数ペアのセットを決定する手段を含む、請求項１１に記載の無線端末。
【請求項１３】
無線端末であって、
送信目的で同時に使用するための、第１のＯＦＤＭシンボルにおける第１の周波数ペアのセットを決定し、ここで、前記第１の周波数ペアのセットは、第１の周波数における第１のトーンと、前記第１の周波数のイメージ周波数である第２の周波数における第２のトーンとを含む、
前記決定された第１の周波数ペアのセットのみを使用して前記第１のＯＦＤＭシンボルにおける情報を送信する
ように構成された少なくとも１つのプロセッサと、
前記少なくとも１つのプロセッサに結合されたメモリと
を備える無線端末。
【請求項１４】
前記少なくとも１つのプロセッサはさらに、
通信ピアによって送信された第２のＯＦＤＭシンボルにおける情報を受信する
ように構成され、前記第２のＯＦＤＭシンボルは、前記第１の周波数ペアのセットにのみ、前記情報を含む、請求項１３に記載の無線端末。
【請求項１５】
前記少なくとも１つのプロセッサはさらに、
ピア・ツー・ピア通信セッションにおける通信ピアからの情報の受信に同時に使用するための、第２のＯＦＤＭシンボルにおける第２の周波数ペアのセットを決定し、ここで、前記第２の周波数ペアのセットは、第３の周波数における第３のトーンと、前記第３の周波数のイメージ周波数である第４の周波数における第４のトーンとを含む、
前記第２のＯＦＤＭシンボルにおける情報を受信する、ここで、前記情報は、前記決定された第２の周波数ペアのセットでのみ通信される、
ように構成される、請求項１３に記載の無線端末。
【請求項１６】
前記少なくとも１つのプロセッサはさらに、
ピア・ツー・ピア通信セッションにおける通信ピアへの情報の送信に同時に使用するための、第２のＯＦＤＭシンボルにおける第２の周波数ペアのセットを決定し、ここで、前記第２の周波数ペアのセットは、第３の周波数における第３のトーンと、前記第３の周波数のイメージ周波数である第４の周波数における第４のトーンとを含む、
前記第２のＯＦＤＭシンボルにおける情報を送信する、ここで、前記情報は、前記決定された第２の周波数ペアのセットでのみ通信される、
ように構成される、請求項１３に記載の無線端末。
【請求項１７】
前記少なくとも１つのプロセッサはさらに、トーン・ホッピング関数を使用して前記第２の周波数ペアのセットを決定するように構成される、請求項１６に記載の無線端末。
【請求項１８】
無線端末において使用するためのコンピュータ・プログラム製品であって、
少なくとも１つのコンピュータに、送信目的で同時に使用するための、第１のＯＦＤＭシンボルにおける第１の周波数ペアのセットを決定させるコードと、ここで、前記第１の周波数ペアのセットは、第１の周波数における第１のトーンと、前記第１の周波数のイメージ周波数である第２の周波数における第２のトーンとを含む、
前記少なくとも１つのコンピュータに、前記決定された第１の周波数ペアのセットのみを使用して前記第１のＯＦＤＭシンボルにおける情報を送信させるコードと
を備える非一時的なコンピュータ読取可能な媒体
を備えるコンピュータ・プログラム製品。
【請求項１９】
前記非一時的なコンピュータ読取可能な媒体はさらに、
前記少なくとも１つのコンピュータに、通信ピアによって送信された第２のＯＦＤＭシンボルにおける情報を受信させるコード
を備え、前記第２のＯＦＤＭシンボルは、前記第１の周波数ペアのセットにのみ、前記情報を含む、請求項１８に記載のコンピュータ・プログラム製品。
【請求項２０】
前記非一時的なコンピュータ読取可能な媒体はさらに、
前記少なくとも１つのコンピュータに、ピア・ツー・ピア通信セッションにおける通信ピアからの情報の受信に同時に使用するための、第２のＯＦＤＭシンボルにおける第２の周波数ペアのセットを決定させるコードと、ここで、前記第２の周波数ペアのセットは、第３の周波数における第３のトーンと、前記第３の周波数のイメージ周波数である第４の周波数における第４のトーンとを含む、
前記少なくとも１つのコンピュータに、前記第２のＯＦＤＭシンボルにおける情報を受信させるコードと、ここで、前記情報は、前記決定された第２の周波数ペアのセットでのみ通信される、
を備える、請求項１８に記載のコンピュータ・プログラム製品。
【発明の詳細な説明】
【技術分野】
【０００１】
さまざまな実施形態は、無線通信に関し、より具体的には、送信目的で使用するための、たとえばトーンといった通信リソースを決定、たとえば選択するための方法および装置に関する。
【背景技術】
【０００２】
ＯＦＤＭＡ（直交周波数分割多元接続）に基づいたシステムでは、しばしばシステムの周波数−時間リソースが小さなリソース単位に分割され、これらのリソース単位は、送信目的で複数の異なるデバイスに割り当てられ得る。最小リソース単位は普通、周波数領域における１つのトーンと、時間領域における１つのＯＦＤＭシンボルとを占有する。通信システムにおけるデバイスが、送信目的でどのトーンを使用するかは、たとえば同相（In-phase）信号と直交位相（Quadrature phase）信号との不均衡によって生じる干渉、といった干渉に、重大な影響を及ぼし得る。
【０００３】
同相（Ｉ）信号と直交位相（Ｑ）信号との不均衡は、一般的にＩＱ不均衡（IQ imbalance）と呼ばれ、同相成分と直交位相成分とが、たとえば位相または振幅のいずれかにおいて、完全に対称でない場合に生じる。ＩＱ不均衡は一般的に、送信機と受信機の両方で生じる。送信機によるシングル・トーン送信のケースでは、意図された信号が送信機により周波数ｆｃ＋ｆで送信された場合、ＩＱ不均衡が周波数ｆｃ−ｆにイメージ・トーン（image tone）として現れ、ここで、ｆｃは、ベースバンド・トーンｆを変調するために使用されたキャリア信号の周波数である。周波数ｆｃ−ｆにおけるイメージ・トーンは、トーンｆｃ＋ｆで送信する送信機が発生させた干渉信号である。すなわち、トーンｆｃ＋ｆで送信されたエネルギーの一部が、受信機において、トーンｆｃ−ｆにリークする（leak）。このリーク（leakage）が存在することにより、別の通信デバイスから送信される可能性がある、周波数（ｆｃ−ｆ）を使用する、システムにおけるシグナリングまたはトラヒック送信が、損なわれ得る。イメージ・トーンによって生じるリークは、オリジナル・トーン（ｆｃ＋ｆ）における信号よりもかなり低い強度で現れ得るが、それでもなお、トーン（ｆｃ−ｆ）における他の送信と比較した場合、特に、トーンｆｃ−ｆにおける送信が別の送信機から入ってきた場合に、かなりの強度であり得る。イメージ・トーンによって生じるこれらの問題が緩和されないままであれば、イメージ・トーン周波数（image tone frequency）でデータを受信しようとするデバイスにおいて、信号の復号／検出の達成可能な信頼性が、低くなり得、また、しばしば低くなる。説明したように、この影響は、２つのベースバンド周波数、たとえば（ｆ，−ｆ）が、異なる２つのデバイスによって同時に使用され、これらのデバイスが、対応するパスバンド（passband）周波数（ｆｃ＋ｆおよびｆｃ−ｆ）で送信する場合に、より顕著である。
【０００４】
図１に示した通信ネットワーク１００を考える。このネットワーク１００には、ＷＴ１ １０２、ＷＴ２ １０４、ＷＴ３ １０６、ＷＴ４ １０８、ＷＴ５ １１０を含む多数の移動無線端末が含まれる。移動端末１０２および１０４は、（ＷＴ１ １０２からＷＴ２ １０４への）確立された通信リンクを有する。ＷＴ１ １０２は、周波数ｆｃ−ｆを使用してＷＴ２ １０４に情報を送信する。しかしながら、ＷＴ４ １０８が、（ＷＴ４ １０８からＷＴ３ １０６への）別の通信リンクを介し、周波数ｆｃ＋ｆを使用してＷＴ３ １０６に情報を送信する、別の通信セッションが同時に行われている。ＷＴ４ １０８は物理的に、ＷＴ１ １０２よりもＷＴ２ １０４のすぐ近くにある。そのようなシナリオでは、ｆｃ＋ｆのイメージ周波数（image frequency）が（受信するＷＴ２ １０４において）「ｆｃ−ｆ」に現れ、ＷＴ２ １０４の情報信号検出能力に強いダメージを与え得る。さらに、図１に示すように、ＷＴ４ １０８がＷＴ１ １０２よりもＷＴ２ １０４にはるかに近い場合、たとえば、ＷＴ４ １０８からＷＴ１ １０２までのパスロス（pathloss）のほうが低い場合、ＷＴ４ １０８が発生させたイメージ・トーンに起因する受信信号は、同一のトーン（ｆｃ−ｆ）でＷＴ１ １０２からＷＴ２ １０４に送信される情報信号の強度に匹敵し得、または、それよりも強くなり得る。
【０００５】
イメージ・トーンによって生じる干渉により、しばしば、受信機デバイスＷＴ２ １０４において受信される信号の品質が劣化するという結果が生じる。これは、任意の所与の周波数における信号が、意図されたものでない送信機によって送信された信号からのイメージ・トーンの存在に起因する干渉信号下に隠され得るからである。基地局またはシステム制御装置がトーンの割り当てを制御するセルラー・システムといった、集中型の制御装置を有するシステムでは、システム全体における特定のデバイスに対するトーンの割り当てによって生じるであろう干渉を考慮して、異なるトーンにおいて異なる信号の送信電力を制御することにより、干渉が緩和され得る。
【０００６】
アドホック・ネットワークには普通、トーンの割り当ておよび送信電力を制御する集中型の制御装置がシステムに存在しないので、イメージ・トーンの発生に起因する干渉の問題は重要であり得る。したがって、Ｉ／Ｑ不均衡によって生じる干渉の問題は、無線端末の位置が恣意的であること、および基地局のような中央調整デバイスが存在しないことに起因して、アドホック・ネットワークにおいて、よりダメージを与え得るということが理解されるべきである。
【０００７】
上記を鑑みて、どの通信リソース、たとえばトーンが使用されるべきかの決定を可能にする方法および装置であって、イメージ・トーンの発生により生じた干渉に起因する、受信機におけるダイナミック・レンジ・リダクション（dynamic range reduction）の問題を低減、回避、または緩和するであろう方法および装置に対するニーズが存在するということが理解されるべきである。そのような方法および／または装置は、異なるデバイスへのトーンの割り当てを制御する集中型の制御装置がシステムにおいて利用可能でない、アドホック・ネットワークでの使用に適していることが所望されるだろう。
【発明の概要】
【０００８】
通信システムにおいて使用される、通信リソースを決定、たとえば選択するための方法および装置が説明される。これらの通信リソースは、たとえば、トーンの形態の周波数であることができる。これらの方法および装置は、ＯＦＤＭトーン−シンボルで情報が送信され得る直交周波数分割多重（ＯＦＤＭ）システムでの使用によく適している。そのようなシステムにおいて、送信されるＯＦＤＭシンボルは、そのＯＦＤＭシンボル中のさまざまなトーン−シンボルに配置された信号エネルギーを含むことができ、これらのトーン−シンボルは、通信デバイスによる使用のために選択されたトーンに対応する。
【０００９】
一実施形態によると、情報を送信しようとするデバイスは、その情報の送信に使用するためのトーンをペアで選択する。すなわち、送信デバイスが、送信目的で使用するために、あるトーン周波数を選択した場合、その送信デバイスは、使用すべき対応するイメージ・トーン周波数も選択する。個々のデバイスが、通信目的で使用するために１つ以上のトーンのペアを選択する。ペアになった通信周波数、たとえば、トーンとそれのイメージ・トーンとを選択するように通信デバイスを制限することにより、デバイスが、対応するイメージ・トーンとは無関係のトーンを送信目的で使用し得るケースと比較して、ＩＱ不均衡に起因する、受信機における干渉および減じられたダイナミック・レンジの問題が低減される。単一のデバイスがトーンとイメージ・トーンの両方を使用するので、トーンで送信される信号からのイメージ・トーンへのリークがイメージ・トーン周波数で送信される信号を圧倒するであろうリスクが回避される。これは、送信機から受信機へのパスロスが両方のトーンで同一となることが見込まれ、それらのトーンの両方を使用する個々のデバイスによって送信電力レベルが制御されるからである。
【００１０】
さまざまな実施形態において、通信デバイスは、ＯＦＤＭシンボルにおいて利用可能な、たとえばＯＦＤＭトーンまたは周波数といった通信リソースのセットで、通信、たとえば送信／受信する。これらの周波数はペアで使用される。
【００１１】
近くのデバイスは、互いとの干渉を回避するために、異なるトーンのペアを通信に使用することが好まれ、また通常使用する。集中型の制御装置が存在しないいくつかの実施形態、たとえば、アドホックの実施形態では、異なるデバイスが、周波数、たとえばトーン−シンボルを、通信目的で使用するために分散方式で選択する。さまざまな実施形態の１つの特徴によると、前述したように、イメージ・トーン（たとえば、−ｆ１）が、周波数（ｆ１）において意図的に送信された信号よりも強く現れる可能性を阻止または低減するために、トーン周波数のペアを使用のために選択することによりトーンの選択が行われ、たとえば、周波数（ｆ１および−ｆ１）がトーンのペアとして扱われ、デバイスは、送信目的で使用するために、この周波数のペアを選択する。そのような実施形態において、送信デバイスは、たとえば、同一のシンボル送信時間期間中に、ｆｃがキャリア周波数である（ｆｃ＋ｆ１およびｆｃ−ｆ１）に対応するトーンで送信することにより、所与の送信時間期間中に周波数ｆ１および−ｆ１の両方を使用して情報を送信するだろう。
【００１２】
周波数トーンとそれのイメージ周波数トーンを無線ネットワークにおけるリソース割り当て単位として選択する原理は、制御チャネルとデータ送信チャネルの両方に適用され得る。いくつかの実施形態では、複数の送信機に、制御チャネル、たとえば、ページング・チャネル、ピア発見チャネル、接続スケジューリング・チャネルにおける送信が許可されるのみである。このケースでは、各デバイスが、制御チャネルにおいて、周波数ペアという単位に基づいて周波数リソースを選択する必要があるのみである。選択のための例示的な方法は、各デバイスに、そのデバイスが干渉する近傍における（in its interference neighborhood）トーンのペアの使用を、まず監視させることである。デバイスは、衝突を回避するために、その近傍で任意の他のデバイス（または接続）により使用されていないトーンのペアを選び出すだろう。
【００１３】
いくつかの実施形態に係る、無線通信デバイスを動作させる例示的な方法は、送信目的で同時に使用するための、第１のＯＦＤＭシンボルにおける第１の周波数ペアのセットを決定、たとえば選択することと、ここで、第１の周波数ペアのセットは第１の周波数における第１のトーンと第１の周波数のイメージ周波数である第２の周波数における第２のトーンとを含み、決定された第１の周波数ペアのセットのみを使用して第１のＯＦＤＭシンボルにおける情報を送信することと、を備える。理解されるべきであるように、第１の周波数ペアのセットは、単一の周波数ペアを含み得る。しかしながら、かなりの量のデータが送信されるべきである場合、第１の周波数ペアのセットは、複数の周波数ペアを含み得る。複数の周波数ペアが選択されるいくつかの実施形態では、選択されていないいくつかの周波数ペアは、周波数に関して、選択された周波数ペアの間を占有し得る。すなわち、周波数ペアは、キャリア周波数より上およびキャリア周波数より下の隣接トーンのセットを備え得るが、それらのトーンのすべてが、周波数に関して隣接する必要はないということが理解されるべきである。
【００１４】
いくつかの実施形態に係る例示的な無線通信デバイスは、送信目的で同時に使用するための、第１のＯＦＤＭシンボルにおける第１の周波数ペアのセットを決定、たとえば選択し、ここで、第１の周波数ペアのセットは第１の周波数における第１のトーンと第１の周波数のイメージ周波数である第２の周波数における第２のトーンとを含み、決定された第１の周波数ペアのセットのみを使用して第１のＯＦＤＭシンボルにおける情報を送信する、ように構成された少なくとも１つのプロセッサを備える。
【００１５】
アドホック・ネットワークの文脈で説明されるが、周波数ペアに基づいたトーンの選択方法は、集中型の制御装置を有するシステムおよび／または他のタイプのシステムでも用いられ得るということが理解されるべきである。
【００１６】
前述した概要ではさまざまな実施形態について説明したが、必ずしもすべての実施形態が同一の特徴を含む必要はなく、前述された特徴のいくつかは、いくつかの実施形態では必須ではないが、所望され得るということが理解されるべきである。さまざまな実施形態の、多数のさらなる特徴、実施形態、利点が、下記の詳細な説明において論じられる。
【図面の簡単な説明】
【００１７】
【図１】図１は、無線通信システムの図である。
【図２】図２は、例示的な１つの実施形態に係る通信システムを示す図である。
【図３】図３は、情報を通信するために使用され得る例示的なエア・リンク通信リソースを示す図である。
【図４】図４は、例示的な実施形態に係る、複数のトーン−シンボルを含む例示的なＯＦＤＭシンボルを示す図である。
【図５】図５は、例示的な実施形態に係る、さまざまなトーン−シンボルを含む例示的な別のＯＦＤＭシンボルを示す図である。
【図６】図６は、例示的な実施形態に係る例示的な通信方法を示すフローチャートである。
【図７】図７は、例示的な１つの実施形態によって実現された、例示的なピア・ツー・ピア通信デバイスを示す図である。
【図８】図８は、図７に示した無線通信デバイスにおいて、使用され得る、およびいくつかの実施形態で使用される、モジュールのアセンブリを示す図である。
【図９】図９は、例示的な１つの実施形態に係る、トーン・ホッピング（tone hopping）が使用された時間周波数リソースを示す例示的なＯＦＤＭ時間周波数グリッドを示す図である。
【詳細な説明】
【００１８】
図２は、例示的な実施形態に係る例示的な無線ピア・ツー・ピア通信システム２００を示している。例示的な無線ピア・ツー・ピア通信システム２００には、複数の無線通信デバイス（デバイス１ ２０２，デバイス２ ２０４，デバイス３ ２０６，デバイス４ ２０８，デバイス５ ２１０，デバイス６ ２１２，デバイス７ ２１４，．．．，デバイスＮ ２１８）が含まれる。システム２００における無線通信デバイスのうちのあるもの、たとえば、デバイス５ ２１０は、インターネットおよび／または他のネットワーク・ノードへのインターフェース２２２を含む。システム２００における無線通信デバイスのうちのあるもの、たとえば、デバイス１ ２０２，デバイス２ ２０４，デバイス３ ２０６，デバイス４ ２０８，デバイス６ ２１２，デバイス７ ２１４，デバイスＮ ２１８は、移動無線通信デバイス、たとえば、ハンドヘルド移動デバイスである。
【００１９】
通信デバイス（２０２，２０４，２０６，２０８，．．．，２１８）は、たとえば、ピア発見信号、パイロット信号、送信要求信号、等といった、さまざまな、ピア間シグナリングと、ピア間データ伝送とをサポートする。
【００２０】
図３は、たとえばシステム２００における１つ以上のデバイスによって情報を通信するために使用され得る、たとえば時間周波数リソースといった、例示的な通信リソースを示す図３００である。周波数分割多重システム、たとえばＯＦＤＭシステムの例示的な実施形態を考える。そのような１つのシステムでは、シンボルごとに（symbol-by-symbol）情報が送信され得る。そのような１つの実施形態では、シンボル送信期間中、利用可能な帯域幅（周波数）が多数のトーンに分割され、その各々は情報を搬送するために使用されることができる。
【００２１】
図３では、横軸３０１が時間を表し、縦軸３１１が周波数を表す。縦の１列は、１シンボル送信時間期間に対応する持続時間を有するＯＦＤＭシンボルを表す。複数のＯＦＤＭシンボル、たとえば、第１のＯＦＤＭシンボル３１２、第２のＯＦＤＭシンボル３１４、ＯＦＤＭシンボル３２０が示されている。ＯＦＤＭシンボルの各々には、所与のシンボル送信時間期間に対応する複数のトーン（周波数）が含まれる。参照番号が付されたＯＦＤＭシンボル送信時間期間は、１ＯＦＤＭシンボルを送信するために使用される時間に対応する。いくつかの実施形態では、ＯＦＤＭシンボルは１１３個のトーンを含む。しかしながら、異なる実施形態では、他の個数のトーンが使用される。小さな四角３６０の各々はトーン−シンボルを表し、このトーン−シンボルは、シンボル送信時間期間にわたる単一のトーンというエア・リンク・リソースである。個々のトーン−シンボル３６０の各々は、通信リソースであり、図から理解されるべきであるように、それに関連づけられた周波数と時間期間とを有する。
【００２２】
通信デバイスは、１つ以上の通信リソース、たとえばトーン−シンボルを使用して互いに通信する。システム２００のような例示的なピア・ツー・ピア通信システムでは、通信しようとするピア・ツー・ピア通信デバイスのペアは、通信リソースを監視し、それらのデバイスが通信目的で使用可能なリソース、たとえば、他のデバイスによって使用されていない周波数はどれであるかを決定する。通信セッションの確立中、通信デバイスのペアは、それらの通信デバイスが情報を送信および受信するために使用することができる１つ以上のトーン−シンボルについて合意する。したがって、決定後、通信しようとするピア通信デバイスは、それらが互いに情報を送信および／または受信するために使用することになる、選択されたトーン−シンボルまたは周波数を知っている。
【００２３】
一態様によると、通信デバイス２０２は、送信目的で同時に使用するための、第１のＯＦＤＭシンボルにおける第１の周波数ペアのセットを決定し、ここで、第１の周波数ペアのセットは、第１の周波数における第１のトーンと、第１の周波数のイメージ周波数である第２の周波数における第２のトーンとを含む。上記決定は、２つのピア間の接続に対応する接続識別子、またはピアに対応するデバイス識別子に基づくことができる。通信しようとするピア通信デバイスのペア（たとえば、デバイス２０２、２０４）は、同一の接続識別子を得ることができ、それによって、そのような通信デバイスのペアは、互いに送受信するための周波数ペアを知るだろう。いくつかの他の実施形態では、デバイス１ ２０２が、送信のために同時に使用するための周波数ペアのセットを決定し、決定された周波数ペアのセットに関する識別情報をデバイス２ ２０４に通信するので、ピア・デバイス２ ２０４は、ピア・デバイス１ ２０２によって送信される情報をどれで受信すべきかを知ることができる。
【００２４】
図４を用いて、通信リソース、たとえばＯＦＤＭトーン−シンボルが、異なる周波数ペアをどのように形成するかを説明する。図４は、例示的なＯＦＤＭシンボル、たとえば第１のＯＦＤＭシンボル４００、および、同シンボルにおける通信リソースの分布、たとえば、例示的なＯＦＤＭシンボル４００に含まれる個々のトーン−シンボルの分布を示す。図４の例ではＯＦＤＭシンボル４００を第１のＯＦＤＭシンボルとして説明するが、ＯＦＤＭシンボル４００は、図３に示したＯＦＤＭシンボル３１２，３１４，．．．，３２０のいずれか１つであり得ることが理解されるべきである。
【００２５】
図４に示されているように、ＯＦＤＭシンボル４００には、１１３個のトーン−シンボル、たとえば、第１のトーン−シンボル４０２，．．．，第１１３のトーン−シンボル４５２が含まれる。一態様によると、周波数ペアは、トーン−シンボルのペアまたはトーンのペアに対応する。トーンのペアは、たとえばｆｃ＋ｆ１のような第１の周波数における第１のトーンと、たとえばｆｃ−ｆ１のようなそれのイメージ周波数における別のトーンとを含み、ここで、ｆｃは、キャリア信号周波数であり、たとえばｆ１のようなベースバンド・トーンを変調して周波数ｆｃ＋ｆ１におけるトーンを生成するために使用される。たとえば、ＯＦＤＭシンボル４００は、第１の周波数ペアのセット４６０を含み、ここで、この第１のセットは、周波数ペア（ｆｃ＋ｆ１およびｆｃ−ｆ１）を含む。例示的な実施形態の１つの特徴によると、通信デバイスは、送信目的で同時に使用するための、たとえばＯＦＤＭシンボル４００における第１の周波数ペアのセット４６０のような、周波数ペアのセットを決定することができる。図４では、第１の周波数ペアのセット４６０に含まれる周波数ペアを示すために、クロス・ハッチング（cross hatching）が使用されている。ＯＦＤＭシンボル４００における残りのトーン−シンボルは、それらを第１のセット４６０における周波数ペアに対応するトーン−シンボルと区別するために、シェーディング／クロス・ハッチングされていない（not shaded/cross hatched）。図４の例では、説明を簡潔にするために、第１の周波数ペアのセット４６０が、周波数ペア（ｆｃ＋ｆ１およびｆｃ−ｆ１）を形成する、単一のトーン−シンボル・ペアを含むように示されているが、いくつかの実施形態では、第１の周波数ペアのセット４６０は、複数の周波数ペアを含み得ることが理解されるべきである。
【００２６】
図５は、例示的な実施形態に係る、たとえば第２のＯＦＤＭシンボルのような例示的なＯＦＤＭシンボル５００と、同シンボルにおける通信リソースの配置とを示す別の例を示している。図５の例ではＯＦＤＭシンボル５００を第２のＯＦＤＭシンボルとして説明するが、ＯＦＤＭシンボル５００は、図３に示したＯＦＤＭシンボル３１２，３１４，．．．，３２０のいずれか１つであり得ることが理解されるべきである。
【００２７】
図５に示されているように、例示的な第２のＯＦＤＭシンボル５００には、複数の個々のトーン−シンボルが含まれる。示されているように、第２のＯＦＤＭシンボル５００には、１１３個のトーン−シンボル、たとえば、第１のトーン−シンボル５０２，．．．，第１１３のトーン−シンボル５５２が含まれる。図５の例では、周波数ペアのセットは、たとえば第２の周波数ペアのセット５６０のように、複数のトーン−シンボル・ペア、たとえば３個の周波数ペアを含む。第２の周波数ペアのセット５６０は、第１、第２、第３の周波数ペアを含む。第１の周波数ペアは、周波数ｆｃ＋ｆ１におけるトーンと、それのイメージ周波数ｆｃ−ｆ１における別のトーンとを有し、第２の周波数ペアは、周波数ｆｃ＋ｆ２におけるトーンと、それのイメージ周波数ｆｃ−ｆ２における別のトーンとを有し、第２のセット内の第３の周波数ペアは、第３の周波数ｆｃ＋ｆ３における第３のトーンと、第３の周波数のイメージ周波数である第４の周波数ｆｃ−ｆ３における第４のトーンとを有する。このように、いくつかの実施形態では、周波数ペアのセットが、第２の周波数ペアのセット５６０のように、複数の周波数ペアを含み得るということが理解されるべきである。さらに、いくつかの実施形態では、単一のデバイスが、たとえばピア・ツー・ピア通信セッションにおける通信ピアとの情報の送受信といった通信目的で同時に使用するための、第２の周波数ペアのセット５６０に含まれる周波数ペアを決定する、ということが理解されるべきである。
【００２８】
図６は、さまざまな例示的な実施形態に係る、たとえばピア・ツー・ピア移動ノードのような無線通信デバイスを動作させる例示的な方法のステップを示すフローチャート６００である。例示的な無線通信デバイスは、たとえば、図２のピア・ツー・ピア無線通信システム２００の無線通信デバイスのうちのいずれかであることができるが、例示のために、この無線通信デバイスはデバイス１ ２０２であると仮定する。破線で示された、フローチャート６００におけるステップのうちの１つ以上は、オプションであり、いくつかの実施形態では実行されるが、他の実施形態ではスキップされる。フローチャート６００の例示的な方法は、通信に使用するためのＯＦＤＭシンボルにおける周波数ペアを決定することを含む。
【００２９】
例示的な方法の動作はステップ６０２から始まり、ステップ６０２では、無線通信デバイスに電源が投入され、初期化される。動作は、開始ステップ６０２からステップ６０４へと進む。ステップ６０４では、無線通信デバイスが、送信目的で同時に使用するための、第１のＯＦＤＭシンボルにおける第１の周波数ペアのセット、たとえば第１のセット４６０を決定し、ここで、この第１の周波数ペアのセットは、たとえばｆｃ＋ｆ１のような第１の周波数における第１のトーンと、第１の周波数のイメージ周波数である、たとえばｆｃ−ｆ１のような第２の周波数における第２のトーンとを含む。第１の通信リソースのセット、すなわち第１の周波数ペアのセットを決定することは普通、１つ以上の通信デバイスが通信リソースを監視し、および、通信に使用するための、干渉または雑音による影響が最も少ないリソースを識別する、通信確立セッションの一部として実行される。このシステムでは、２つの異なる送信デバイスが同一の周波数セットを同時に選択する可能性を低減するために、何らかの干渉緩和メカニズムと、あるレベルの調整が用いられることができる。
【００３０】
いくつかの実施形態では、通信確立セッション中、通信ピア・デバイス（通信ピア）が、たとえば送信または受信を開始する前に、通信目的で使用される周波数ペアを決定し、合意する。いくつかの他の実施形態では、通信デバイス２０２が、デバイス２０２によって送信のために同時に使用される、決定された第１の周波数ペアのセット４６０を示す情報を、デバイス２０２が通信しようとしている通信ピアに通信する。周波数ペアを示す情報は、たとえば、決定された周波数ペアに対応するリソース識別子であることができる。
【００３１】
動作は、ステップ６０４からステップ６０６へと進む。ステップ６０６では、無線通信デバイス２０２が、決定された第１の周波数ペアのセット４６０のみを使用して、たとえば通信デバイス２０４のような通信ピアに、第１のＯＦＤＭシンボル４００における情報を送信する。動作は、ステップ６０６からステップ６０８へと進む。ステップ６０８では、通信デバイス２０２が、ピア・ツー・ピア通信セッションにおける通信ピアとの情報の送信または受信に同時に使用するための、第２のＯＦＤＭシンボルにおける第２の周波数ペアのセット、たとえば第２のセット５６０を決定し、ここで、この第２の周波数ペアのセットは、第３の周波数における第３のトーンと、第３の周波数のイメージ周波数である第４の周波数における第４のトーンとを含む。いくつかの実施形態では、ステップ６０８は、トーン・ホッピングが実現される場合に実行されるステップ６１０を含む。ステップ６１０では、トーン・ホッピング関数が使用され、第２のＯＦＤＭシンボル５００における第２の周波数ペアのセット５６０が決定される。トーン・ホッピング関数は、たとえば、システム２００における通信デバイスに知られている所定のパターンである。したがって、トーン・ホッピングが実現される場合、システム２００におけるデバイスは、トーンがどのように１つのＯＦＤＭシンボルから別のＯＦＤＭシンボルにホッピングされているかを、トーン・ホッピング関数を使用して決定することができる。
【００３２】
いくつかの実施形態では、たとえば第２のＯＦＤＭシンボルといった、異なるＯＦＤＭシンボル中であるとは言え、第３の周波数における第３のトーンは、第１の周波数における第１のトーンと同一であり、第４の周波数は、第２の周波数と同一である。しかしながら、いくつかの実施形態では、第３の周波数における第３のトーンは、第１の周波数における第１のトーンとは異なり、第４の周波数は、第２の周波数とは異なる。これは、たとえば、トーン・ホッピングが実現され、第１のＯＦＤＭシンボル４００における第１のトーンが、第２のＯＦＤＭシンボルにおける第３の周波数において第３のトーンにホッピングされ、第１のＯＦＤＭシンボル４００における第２のトーンが、第２のＯＦＤＭシンボルにおける第４の周波数において第４のトーンにホッピングされた場合に、起こり得る。
【００３３】
動作は、ステップ６１０を含むステップ６０８からステップ６１２へと進む。ステップ６１２では、通信デバイス２０２が、第２のＯＦＤＭシンボルにおける情報を送信または受信する。ステップ６１２は、ステップ６１４、６１６、６１８を含み、それらのうちの少なくとも１つが、実施形態に依存して、ステップ６１２を実行する一部として実行される。すなわち、いくつかの実施形態では、通信デバイス２０２が、ステップ６１４で、第２のＯＦＤＭシンボルにおける情報を送信し、ここで、この情報は、決定された第２の周波数ペアのセットでのみ通信される。いくつかの実施形態において、ステップ６１６が実行された場合、デバイス２０２は、第２のＯＦＤＭシンボルにおける情報を受信し、ここで、この情報は、たとえばピア通信デバイスから、決定された第２の周波数ペアのセットでのみ通信される。あるいは、いくつかの実施形態では、ステップ６１８が実行され、デバイス２０２が、通信ピアによって送信された第２のＯＦＤＭシンボルにおける情報を受信し、ここで、この第２のＯＦＤＭシンボルは、決定された第１の周波数ペアのセットにのみ、この情報を含む。たとえばトーン・ホッピングが実現されない場合にステップ６１８が実行されることができ、デバイス２０２は、第２のＯＦＤＭシンボル中に存在する、決定された第１の周波数ペアのセットで情報を受信する。動作は、ステップ６１２からステップ６０４へと戻る。図６の実施形態にはステップ６０８およびステップ６１２が示されているが、これらのステップは、他の実施形態では使用されないことができ、したがって、少なくともいくつかの実施形態ではオプションとみなされ得る。
【００３４】
図７は、例示的な実施形態に係る例示的な無線通信デバイス７００を示している。例示的な無線通信デバイス７００は、たとえば、図２の無線通信デバイスのうちの１つである。例示的な通信デバイス７００は、ピア・ツー・ピア通信をサポートし、図６のフローチャート６００に係る方法を実現する、移動無線端末であることができ、少なくとも１つの実施形態ではそのような移動無線端末である。
【００３５】
無線通信デバイス７００は、プロセッサ７０２と、バス７０９を介してともに結合されるメモリ７０４とを含み、バス７０９を介して、さまざまなエレメント（７０２、７０４）がデータおよび情報を交換することができる。通信デバイス７００はさらに、入力モジュール７０６と出力モジュール７０８とを含み、これらのモジュールは、示されているように、プロセッサ７０２に結合され得る。しかしながら、いくつかの実施形態では、入力モジュール７０６と出力モジュール７０８は、プロセッサ７０２の内部に配置される。入力モジュール７０６は、入力信号を受信することができる。入力モジュール７０６は、入力を受信するための、無線受信機および／または有線または光学式の入力インターフェースを含むことができ、また、いくつかの実施形態ではそれらを含む。出力モジュール７０８は、出力を送信するための、無線送信機および／または有線または光学式の出力インターフェースを含むことができ、また、いくつかの実施形態ではそれらを含む。
【００３６】
プロセッサ７０２は、送信目的で同時に使用するための、第１のＯＦＤＭシンボルにおける第１の周波数ペアのセットを決定するように構成され、ここで、第１の周波数ペアのセットは、第１の周波数における第１のトーンと、第１の周波数のイメージ周波数である第２の周波数における第２のトーンとを含む。プロセッサ７０２はまた、決定された第１の周波数ペアのセットのみを使用して第１のＯＦＤＭシンボルにおける情報を送信するように構成される。さまざまな実施形態において、プロセッサ７０２はさらに、通信ピアによって送信された第２のＯＦＤＭシンボルにおける情報を受信するように構成され、ここで、この第２のＯＦＤＭシンボルは、第１の周波数ペアのセットにのみ、この情報を含む。
【００３７】
プロセッサ７０２はさらに、ピア・ツー・ピア通信セッションにおける通信ピアからの情報の受信に同時に使用するための、第２のＯＦＤＭシンボルにおける第２の周波数ペアのセットを決定するように構成され、ここで、第２の周波数ペアのセットは、第３の周波数における第３のトーンと、第３の周波数のイメージ周波数である第４の周波数における第４のトーンとを含む。プロセッサ７０２はまた、第２のＯＦＤＭシンボルにおいてける情報を受信するように構成され、ここで、この情報は、決定された第２の周波数ペアのセットでのみ通信される。いくつかの実施形態において、プロセッサ７０２はさらに、トーン・ホッピング関数を使用して第２の周波数ペアのセットを決定するように構成される。トーン・ホッピング関数は、たとえば、システム２００における通信デバイスに知られている所定のパターンである。
【００３８】
さまざまな実施形態において、プロセッサ７０２は、ピア・ツー・ピア通信セッションにおける通信ピアへの情報の送信に同時に使用するための、第２のＯＦＤＭシンボルにおける第２の周波数ペアのセットを決定するように構成され、ここで、第２の周波数ペアのセットは、第３の周波数における第３のトーンと、第３の周波数のイメージ周波数である第４の周波数における第４のトーンとを含む。プロセッサ７０２はまた、第２のＯＦＤＭシンボルにおける情報を送信するように構成され、ここで、この情報は、決定された第２の周波数ペアのセットでのみ通信される。そのようないくつかの実施形態において、プロセッサ７０２はさらに、トーン・ホッピング関数を使用して第２の周波数ペアのセットを決定するように構成される。
【００３９】
図８は、図７に示した通信デバイス７００において、使用され得る、また、いくつかの実施形態において使用される、モジュールのアセンブリ８００を示す。アセンブリ８００におけるモジュールは、図７のプロセッサ７０２内のハードウェアに、たとえば個々の回路として、実装され得る。あるいは、これらのモジュールは、ソフトウェアで実現されることができ、図７に示した無線端末７００のメモリ７０４に記憶され得る。プロセッサ７０２は、図７の実施形態では、単一のプロセッサ、たとえばコンピュータとして示されているが、１つ以上のプロセッサ、たとえばコンピュータとして実現され得ることが理解されるべきである。ソフトウェアで実現される場合、モジュールはコードを含み、このコードがプロセッサによって実行されると、プロセッサ、たとえばコンピュータ７０２は、モジュールに対応する機能を実現するように構成される。いくつかの実施形態では、プロセッサ７０２は、モジュールのアセンブリ８００のモジュールの各々を実現するように構成される。モジュールのアセンブリ８００がメモリ７０４に記憶される実施形態では、メモリ７０４は、コードを備えるコンピュータ読取可能な媒体を備えるコンピュータ・プログラム製品であり、このコードは、たとえば各モジュールのための個々のコードであり、少なくとも１つのコンピュータ、たとえばプロセッサ７０２に、それらのモジュールに対応する機能を実現させるためのものである。
【００４０】
完全にハードウェア・ベースのモジュール、または完全にソフトウェア・ベースのモジュールが使用されることができる。しかしながら、ソフトウェア・モジュールと、（たとえば、回路として実装された）ハードウェア・モジュールとの任意の組み合わせが、機能を実現するために使用され得ることが理解されるべきである。理解されるべきであるように、図８に示したモジュールは、無線端末７００、または同端末中のプロセッサ７０２のようなエレメントを、図６のフローチャート６００の方法において示した、および／または説明した、対応するステップの機能を実行するように、制御および／または構成する。
【００４１】
モジュールのアセンブリ８００は、図６に示したフローチャート６００の方法の各ステップに対応するモジュールを含む。フローチャート６００に示した対応するステップを実行するようにプロセッサ７０２を実行または制御する、図８におけるモジュールには、６で始まる代わりに８で始まる番号が付されている。たとえば、モジュール８０４は、ステップ６０４に対応し、ステップ６０４に関して説明された動作の実行を担う。モジュールのアセンブリ８００は、送信目的で同時に使用するための、第１のＯＦＤＭシンボルにおける第１の周波数ペアのセット、たとえば第１のセット４６０を決定するモジュール８０４であって、第１の周波数ペアのセットは、第１の周波数における第１のトーンと、第１の周波数のイメージ周波数である第２の周波数における第２のトーンとを含む、モジュール８０４と、決定された第１の周波数ペアのセットのみを使用して第１のＯＦＤＭシンボルにおける情報を送信するモジュール８０６とを含む。
【００４２】
モジュールのアセンブリ８００はさらに、ピア・ツー・ピア通信セッションにおける通信ピアとの情報の送信または受信に同時に使用するための、第２のＯＦＤＭシンボルにおける第２の周波数ペアのセットを決定するモジュール８０８を含み、この第２の周波数ペアのセットは、第３の周波数における第３のトーンと、第３の周波数のイメージ周波数である第４の周波数における第４のトーンとを含む。いくつかの実施形態では、モジュール８０８はさらに、トーン・ホッピング関数を使用して第２の周波数ペアのセットを決定するモジュール８１０を含む。いくつかの実施形態では、トーン・ホッピング関数に関する情報は、たとえば、通信デバイス７００のメモリに記憶されることができる。
【００４３】
モジュールのアセンブリ８００はさらに、第２のＯＦＤＭシンボルにおいてける情報を送信または受信するモジュール８１２を含む。モジュール８１２は、たとえば、トランシーバ・モジュールとして実現されることができる。モジュール８１２は、第２のＯＦＤＭシンボルにおける情報を送信するモジュール８１４であって、この情報は、決定された第２の周波数ペアのセットでのみ通信される、モジュール８１４と、第２のＯＦＤＭシンボルにおける情報を受信するモジュール８１６であって、この情報は、決定された第２の周波数ペアのセットでのみ通信される、モジュール８１６と、ピア通信デバイスによって送信された第２のＯＦＤＭシンボルにおける情報を受信するモジュール８１８であって、第２のＯＦＤＭシンボルは、決定された第１の周波数ペアのセットにのみ、この情報を含む、モジュール８１８とを含む。
【００４４】
破線の四角で示したモジュール、たとえば、モジュール８１４、８１６、８１８は、オプションであるので、これらのモジュールのうちの１つ以上は、いくつかの実施形態では存在し得るが、他の実施形態では存在しない。破線の四角は、これらのモジュールはがさまざまな実施形態においてモジュールのアセンブリ８００に含まれるが、プロセッサ７０２は、そのようなオプションのモジュールを、これらのモジュールに対応するステップが実行される実施形態において実行し得る、ということを示す。いくつかの実施形態において、図８に示した、別のモジュール内に含まれた１つ以上のモジュールは、独立した単数のモジュールまたは複数のモジュールとして実現され得る。
【００４５】
図９は、時間−周波数リソースを含む時間周波数グリッドとして表された例示的なＯＦＤＭチャネルを示す図９００であり、ここでは、トーン・ホッピング関数にしたがってトーン・ホッピングが実現されている。示されているように、横軸９０１は時間を表し、縦軸９１１は周波数を表す。縦の列の各々は、１シンボル送信時間期間に対応する持続時間を有するＯＦＤＭシンボルを表す。図３の例に関して説明したように、シンボル送信期間中、利用可能な帯域幅（周波数）が多数のトーン（各々の小さい四角はトーン−シンボルを表す）に分割され、その各々は情報を搬送するために使用されることができる。
【００４６】
さまざまな実施形態によると、デバイスは、送信目的で同時に使用するための、たとえばシンボル９１２のような第１のＯＦＤＭシンボルにおける、第１の周波数ペアのセット９５０（トーン−シンボルのペア）を決定し、ここで、この第１の周波数ペアのセットは、第１の周波数における第１のトーンと、第１の周波数のイメージ周波数である第２の周波数における第２のトーンとを含む。さまざまな実施形態によると、周波数ホッピングがシステムで使用された場合、決定された周波数ペアのセットは、経時的にシンボルからシンボルへとホッピングする。したがって、そのようないくつかの実施形態では、ピア・ツー・ピア通信セッションにおける通信ピアとの情報の送信または受信に同時に使用するための、第２のＯＦＤＭシンボルにおける第２の周波数ペアのセット、たとえば、ＯＦＤＭシンボル９１６における第２のセット９６０を決定するために、デバイスは、トーン・ホッピング関数を使用して第２の周波数ペアのセット９６０を決定する。第２の周波数ペアのセット９６０は、第３の周波数における第３のトーンと、第３の周波数のイメージ周波数である第４の周波数における第４のトーンとを含む。いくつかの実施形態において、トーン・ホッピング関数は、システム２００におけるデバイスに知られている。図９に示した周波数ホッピング・パターンは一例にすぎず、異なる周波数ホッピング関数の使用による、周波数ホッピング・パターンのさまざまな他のバリエーションが可能である、ということが理解されるべきである。
【００４７】
さまざまな特徴によると、利用可能な周波数リソースを複数のデバイスが通信目的で識別および使用する、システム２００のような通信システムでは、いくつかの実施形態において、下記の対策が取られる。
【００４８】
１．ある通信デバイスによってユーザのために、ある周波数帯域が選択された場合、トーンとそのイメージ・トーンとが、同一の通信デバイスによりまとめて選択される。
【００４９】
２．経時的に周波数がホッピングされる周波数ホッピング・システムでは、イメージ周波数もまた、オリジナル・トーンと同期してホッピングする。
【００５０】
さまざまな実施形態の手法は、ソフトウェア、ハードウェア、および／またはソフトウェアとハードウェアとの組み合わせを使用して実現されることができる。さまざまな実施形態は、装置に関するものであり、この装置は、たとえば、移動端末のような移動ノード、基地局、通信システムである。さまざまな実施形態はまた、方法に関するものであり、これらの方法は、たとえば、移動ノード、基地局、および／または通信システム、たとえばホストを制御し、および／または動作させる方法である。さまざまな実施形態はまた、たとえば、方法の１つ以上のステップを実現するように機械を制御するための機械読取可能な命令を含む、たとえばＲＯＭ、ＲＡＭ、ＣＤ、ハードディスク等といった、たとえばコンピュータのような機械によって読取可能な媒体に関するものである。
【００５１】
開示された処理におけるステップの特定の順序または階層は、例示的なアプローチの一例であるということが理解されるべきである。設計の優先性に基づいて、処理におけるステップの特定の順序または階層が、依然として本開示の範囲内でありながら並べ替えられ得る、ということが理解されるべきである。添付の方法の請求項は、例示的な順序で、さまざまなステップのエレメントを提示しているが、提示された特定の順序または階層に限定されることを意図しない。
【００５２】
さまざまな実施形態において、本明細書に説明されたノードは、たとえば、周波数ペアの決定、信号の送信および／または受信のステップといった、１つ以上の方法に対応するステップを実行する、１つ以上のモジュールを使用して実現される。したがって、いくつかの実施形態では、モジュールを使用してさまざまな特徴が実現される。そのようなモジュールは、ソフトウェア、ハードウェア、またはソフトウェアとハードウェアとの組み合わせを使用して実現されることができる。前述した方法または方法のステップの多くは、ソフトウェアのような機械実行可能な命令を使用して実現されることができ、これらの機械実行可能な命令は、たとえば、ＲＡＭ、フロッピー（登録商標）ディスク、等といったメモリ・デバイスのような機械読取可能な媒体に含まれる。そして、たとえば、さらなるハードウェアを有する、または有しない、汎用コンピュータのような機械を制御し、たとえば１つ以上のノードにおいて、前述した方法の全部または一部が実現される。したがって、特に、さまざまな実施形態は、たとえばプロセッサや関連づけられたハードウェアといった機械に、前述した（１つまたは複数の）方法のステップのうちの１つ以上を実行させる、機械実行可能な命令を含む、機械読取可能な媒体に関するものである。いくつかの実施形態は、１つ以上の例示的な方法のステップのうちの１つ、複数、または全部を実現するように構成されたプロセッサを含む、たとえば通信ノードといったデバイスに関するものである。
【００５３】
いくつかの実施形態において、たとえばアクセス・ノードおよび／または無線端末といった通信ノードのような１つ以上のデバイスの、たとえばＣＰＵのような１つのプロセッサまたは複数のプロセッサは、通信ノードによって実行されるものとして説明された方法のステップを実行するように構成される。プロセッサの構成は、プロセッサの構成を制御するための、たとえばソフトウェア・モジュールのような１つ以上のモジュールを使用すること、および／または、説明されたステップを実行し、および／またはプロセッサの構成を制御するための、たとえばハードウェア・モジュールのようなプロセッサにおけるハードウェアを含むことにより、達成されることができる。したがって、すべてではないがいくつかの実施形態は、たとえば通信ノードのようなデバイスに関するものであり、このデバイスはプロセッサを有し、このプロセッサは、そのプロセッサを含むデバイスにより実行される、説明されたさまざまな方法のステップの各々に対応するモジュールを含む。すべてではないがいくつかの実施形態において、たとえば通信ノードのようなデバイスは、プロセッサを含むそのデバイスにより実行される、説明されたさまざまな方法のステップの各々に対応するモジュールを含む。これらのモジュールは、ソフトウェアおよび／またはハードウェアを使用して実現されることができる。
【００５４】
いくつかの実施形態は、１つのコンピュータまたは複数のコンピュータに、たとえば前述した１つ以上のステップのような、さまざまな機能、ステップ、アクション、および／または動作を実現させるコードを備える、たとえば非一時的なコンピュータ読取可能な媒体といったコンピュータ読取可能な媒体を備える、コンピュータ・プログラム製品に関するものである。実施形態に依存して、コンピュータ・プログラム製品は、各ステップを実行するための異なるコードを含むことができ、また含むこともある。したがって、コンピュータ・プログラム製品は、たとえば通信デバイスまたはノードを制御する方法といった方法の個々のステップの各々のためのコードを含むことができ、また含むこともある。このコードは、たとえばＲＡＭ（ランダム・アクセス・メモリ）、ＲＯＭ（読取専用メモリ）、または他のタイプの記憶装置といったコンピュータ読取可能な媒体に記憶された、たとえばコンピュータといった機械によって実行可能な命令の形態であることができる。コンピュータ・プログラム製品に関するものである上に、いくつかの実施形態は、前述した１つ以上の方法のさまざまな機能、ステップ、アクション、および／または動作のうちの１つ以上を実現するように構成されたプロセッサに関するものである。したがって、いくつかの実施形態は、本明細書に説明された方法のステップのいくつかまたはすべてを実現するように構成されたプロセッサ、たとえばＣＰＵに関するものである。このプロセッサは、たとえば、本願明細書において説明された通信デバイスまたは他のデバイスにおいて使用するためのものであり得る。
【００５５】
ＯＦＤＭシステムの文脈で説明されているが、さまざまな実施形態の本方法および装置の少なくともいくつかは、多くの非ＯＦＤＭシステムおよび／または非セルラー・システムを含む広範囲の通信システムに適用可能である。
【００５６】
これまでの説明を考慮することにより、当業者は、前述したさまざまな実施形態の本方法および装置における多くのさらなる変形例を理解するだろう。そのような変形例は、特許請求の範囲に含まれるものとする。本方法および装置は、通信デバイス間の無線通信リンクを提供するために使用され得る、ＣＤＭＡ、直交周波数分割多重（ＯＦＤＭ）、および／またはさまざまな他のタイプの通信技術とともに使用されることができ、またさまざまな実施形態において使用される。いくつかの実施形態において、１つ以上の通信デバイスは、ＯＦＤＭおよび／またはＣＤＭＡを使用して移動ノードとの通信リンクを確立し、および／または、有線または無線の通信リンクを介してインターネットまたは別のネットワークへのコネクティビティを提供し得る、アクセス・ポイントとして実現される。さまざまな実施形態において、移動ノードは、これらの方法を実現するための、受信機／送信機回路、論理および／またはルーチンを含む、ノードブック・コンピュータ、携帯情報端末（ＰＤＡ）、または他の携帯デバイスとして実現される。
【図１】
2013532916.tif 000003
【図２】
2013532916.tif 000004
【図３】
2013532916.tif 000005
【図４】
2013532916.tif 000006
【図５】
2013532916.tif 000007
【図６】
2013532916.tif 000008
【図７】
2013532916.tif 000009
【図８】
2013532916.tif 000010
【図９】
2013532916.tif 000011
【国際調査報告】
2013532916.tif 000012
2013532916.tif 000013
2013532916.tif 000014